(57)【要約】【課題】  所望の釣り糸を引き出して切り取った後にスプールに残った釣り糸の端を容易に係止することのできる釣り糸スプールを提供する。【解決手段】  釣り糸を巻回する第一のスプール本体１１と、第一のスプール本体１１に摺動可能に装着した糸止め部材１２と、第一のスプール本体１１に回転可能に装着されたリング１３であって、第二のスプール本体２１と接続されて、第一のスプール本体１１を第二のスプール本体２１に回転可能に連結するように構成されたリング１３とを備え、第一のスプール本体１１と第二のスプール本体２１とが連結されるとき、第一のスプール本体１１と第二のスプール本体２１とは、釣り糸を糸止め部材１２により止めることを可能とする間隔Ｗをもって連結されるように構成された釣り糸スプール。【選択図】図１
2015167504.tif 000002
【特許請求の範囲】
【請求項１】
釣り糸を巻回する第一のスプール本体と；
前記第一のスプール本体に摺動可能に装着した糸止め部材と；
前記第一のスプール本体に回転可能に装着されたリングであって、第二のスプール本体と接続されて、前記第一のスプール本体を前記第二のスプール本体に回転可能に連結するように構成されたリングとを備え；
前記第一のスプール本体と前記第二のスプール本体とが連結されるとき、前記第一のスプール本体と前記第二のスプール本体とは、釣り糸を前記糸止め部材により止めることを可能とする間隔をもって連結されるように構成された；
釣り糸スプール。
【請求項２】
前記第一のスプール本体は、釣り糸を巻回する筒状のドラム部と、前記ドラム部の軸方向両端にそれぞれ設けられた２枚の平板状のフランジを有し；
前記２枚のフランジのうち、少なくとも前記糸止め部材側のフランジの外周部に、前記釣り糸を前記糸止め部材に止めるために通す切欠きが形成された；
請求項１に記載の釣り糸スプール。
【請求項３】
前記糸止め部材は、前記釣り糸を前記第一のスプール本体との間に挟むように構成され、前記糸止め部材の前記第一のスプール本体への装着は、前記糸止め部材と前記第一のスプール本体との間に前記釣り糸を挟んだとき、前記釣り糸に釣りの際の使用を妨げるような永久変形又は傷を残さない隙間を与えるように設けられた；
請求項１又は請求項２に記載の釣り糸スプール。
【請求項４】
前記第一のスプール本体に装着した前記糸止め部材は、前記第一のスプール本体と前記第一のスプール本体と同一形状の前記第二のスプール本体とが連結されたとき、前記第一のスプール本体の前記第二のスプール本体に対向する面から前記糸止め部材の前記第二のスプール本体側の面までの距離が、前記隙間よりも大となるように構成された、請求項１乃至請求項３のいずれか１項に記載の釣り糸スプール。
【発明の詳細な説明】
【技術分野】
【０００１】
本発明は釣り糸を巻回する釣り糸スプールに関し、特に釣り糸の係止、挿脱を容易に行うことのできる釣り糸スプールに関する。
【背景技術】
【０００２】
所望の号数の釣糸を取り出しやすいように、複数のスプールを連結して持ち歩けるようにした釣り糸スプールがあった。このような従来の釣り糸スプールでは、複数のスプールは、連結したときスプールのフランジ同士が接触しつつ、互いに回転するように構成されていた（例えば、特許文献１参照）。
【先行技術文献】
【特許文献】
【０００３】
【特許文献１】特開２００４−２４１００号公報（段落０００８等）
【発明の概要】
【発明が解決しようとする課題】
【０００４】
しかしながら、従来のスプールでは、必要なだけ引き出した後にスプールに残った釣り糸の端を容易に係止することができなかった。
【０００５】
本発明は上述の課題に鑑み、所望の釣り糸を引き出して切り取った後にスプールに残った釣り糸の端を容易に係止することのできる釣り糸スプールを提供することを目的とする。
【課題を解決するための手段】
【０００６】
上記目的を達成するために、本発明の第１の態様に係る釣り糸スプールは、例えば図１に示すように、釣り糸を巻回する第一のスプール本体１１と；  第一のスプール本体１１に摺動可能に装着した糸止め部材１２と；第一のスプール本体１１に回転可能に装着されたリング１３であって、第二のスプール本体２１と接続されて、第一のスプール本体１１を第二のスプール本体２１に回転可能に連結するように構成されたリング１３とを備え；第一のスプール本体１１と第二のスプール本体２１とが連結されるとき、第一のスプール本体１１と第二のスプール本体２１とは、釣り糸を糸止め部材１２により止めることを可能とする間隔Ｗ（図２参照）をもって連結されるように構成される。
【０００７】
リングと第二のスプール本体との接続は、典型的には固定接続であり、回転可能あるいは摺動可能な接続ではない。
このように構成すると、第一のスプール本体と第二のスプール本体とが連結されるとき、第一のスプール本体と第二のスプール本体とは、釣り糸を糸止め部材により止めることを可能とする間隔Ｗをもって連結されるように構成されるので、余った釣り糸を第一のスプール本体と第二のスプール本体との間に挿入し、糸を止める糸止め部材に導くことができる。また、糸止め部材は、第一のスプール本体に摺動可能に装着されるので、スプールに残った釣り糸の長さが短い場合も長い場合も適切に係止することができる。さらに、第一のスプール本体に回転可能に装着されたリングであって、第二のスプールと接続されて、第一のスプール本体を第二のスプール本体に回転可能に連結するように構成されたリングとを備えるので、第一のスプール本体と第二のスプール本体とを連結したとき、両スプール本体を回転可能とすることができる。
【０００８】
本発明の第２の態様に係る釣り糸スプールは、例えば図１に示すように、第１の態様に係る釣り糸スプールにおいて、第一のスプール本体１１は、釣り糸を巻回する筒状のドラム部１１ｃと、ドラム部１１ｃの軸方向両端にそれぞれ設けられた２枚の平板状のフランジ１１ａ、１１ｂを有し；２枚のフランジ１１ａ、１１ｂのうち、少なくとも糸止め部材１２側のフランジ１１ｂの外周部に、前記釣り糸を糸止め部材１２に止めるために通す切欠き１１ｄ（例えば図３参照）が形成される。
【０００９】
このように構成すると、少なくとも糸止め部材側のフランジの外周部に、釣り糸を糸止め部材に止めるために通す切欠きが形成されているので、係止する釣り糸を糸止め部材に容易に届かせることができ、釣り糸スプールを携帯する際に、係止された釣り糸がほつれることを抑制することができる。
【００１０】
本発明の第３の態様に係る釣り糸スプールは、例えば図１に示すように、第１の態様又は第２の態様の釣り糸スプールにおいて、糸止め部材１２は、釣り糸を第一のスプール本体１１との間に挟むように構成され、糸止め部材１２の第一のスプール本体１１への装着は、糸止め部材１２と第一のスプール本体１１との間に釣り糸を挟んだとき、釣り糸に釣りの際の使用を妨げるような永久変形又は傷を残さない隙間を与えるように設けられる。
【００１１】
典型的には、釣り糸を第一のスプール本体と装着する装着部に可撓性を持たせることにより隙間を与える。糸止め部材そのものに可撓性を持たせてもよいし、第一のスプール本体の装着部に持たせてもよい。
このように構成すると、糸止め部材と第一のスプール本体との間に釣り糸を挟んだとき、釣り糸に釣りの際の使用を妨げるような永久変形又は傷を残さない隙間を与えるように設けられるので、変形や傷の残った釣り糸部分を切り落とす等の処理が不要となる。
【００１２】
本発明の第４の態様に係る釣り糸スプールは、例えば図１に示すように、第１の態様乃至第３の態様のいずれか１の釣り糸スプールにおいて、第一のスプール本体１１に装着した糸止め部材１２は、第一のスプール本体１１と第一のスプール本体１１と同一形状の第二のスプール本体２１とが連結されたとき、第一のスプール本体１１の第二のスプール本体２１に対向する面から糸止め部材１２の第二のスプール本体２１側の面までの距離Hが、前記間隔Ｗ（図２参照）よりも大となるように構成される。
糸止め部材１２の第二のスプール本体２１側の面は、第一のスプール本体１１に当接する面と反対側であるので、反当接面と呼ぶことができる。
【００１３】
このように構成すると、距離Ｈが間隔Ｗよりも大となるように構成されるので、釣り糸を係止するために第一のスプール本体と第二のスプール本体との間に通したとき、釣り糸が確実に第一のスプール本体と糸止め部材との間に導かれる。言い換えれば、糸止め部材と第二のスプール本体とがオーバーラップするので、釣り糸が糸止め部材と第二のスプール本体との間に入り込むことなく、第一のスプール本体と糸止め部材との間に導かれる。
【発明の効果】
【００１４】
本発明によれば、所望の釣り糸を引き出して切り取った後にスプールに残った釣り糸の端を容易に係止することのできる釣り糸スプールを提供することができる。
【図面の簡単な説明】
【００１５】
【図１】本発明の実施の形態に係る釣り糸スプールを２個連結した状態の断面図である。
【図２】図１の一部拡大断面図である。
【図３】本発明の実施の形態に係る釣り糸スプールから、糸止め部材とリングを取り除いた状態で示す、スプール本体の図である。（ａ）はスプール本体の斜視図であり、（ｂ）は糸止め部材用タブの拡大断面図であり、（ｃ）はリング用タブの拡大断面図である。
【図４】本発明の実施の形態のスプール本体を、他の釣り糸スプールのリングを介して、他のスプール本体と連結する側から見た図である。（ａ）はスプール本体の斜視図であり、（ｂ）はリング係止用タブの拡大断面図である。
【図５】本発明の実施の形態に係る釣り糸スプールに使用する糸止め部材の図である。（ａ）は糸止め部材の斜視図であり、（ｂ）は糸止め部材本体の拡大断面図である。
【図６】本発明の実施の形態に係る釣り糸スプールに使用するリングの図である。（ａ）はリングの斜視図であり、（ｂ）はリングの拡大断面図である。
【発明を実施するための形態】
【００１６】
以下、図面を参照して本発明の実施の形態について説明する。なお、各図において互いに同一又は相当する部材には同一あるいは類似の符号を付し、重複した説明は省略する。
【００１７】
まず図１の断面図及び図２（ａ）の一部拡大断面図を参照して、本発明の実施の形態に係る、釣り糸スプール１０を説明する。本図には、釣り糸スプール１０と連結される、釣り糸スプール１０と同一形状、同寸法の釣り糸スプール２０も同時に図示する。釣り糸スプール１０は、第一の釣り糸スプール本体としてのスプール本体１１と、スプール本体１１に摺動可能に装着した糸止め部材１２と、スプール本体１１に回転可能に装着されたリング１３とを備える。スプール本体１１には、釣り糸が巻回される。スプール本体１１は、回転軸線Ｃに対して回転対称（典型的には回転体）に形成される。
【００１８】
ここで「摺動」とは摺りながらも相対的に動くことをいい、例えば動かそうとする力を除くと摺る抵抗により動きが直ちに止まる。「回転」とは摺動よりも滑らかに回る（摺る抵抗が僅少であり、回す力が僅かであっても回る）ことをいい、典型的にはクリアランスをもって装着することをいう。
【００１９】
スプール本体１１は、釣り糸を巻回する筒状のドラムとしての円筒状のドラム部１１ｃと、ドラム部１１ｃの回転軸線方向両端にそれぞれ設けられた２枚の平板状のフランジとしての円板状のフランジ１１ａ、１１ｂを有する。釣り糸は２枚のフランジ１１ａ、１１ｂの間に巻回される。糸止め部材１２は、フランジ１１ｂの側に装着される。フランジ１１ｂには、釣り糸を糸止め部材１２とフランジ１１ｂとの間に挟んで止めるために通す、切欠き１１ｄが形成されている。切欠き１１ｄは少なくともフランジ１１ｂに形成されていればよい。釣り糸は、この切欠き１１ｄを通してフランジ１１ｂを越えることができる。すなわち、係止する釣り糸を糸止め部材１２に容易に届かせることができる。また釣り糸は糸止め部材１２に係止した状態で携帯されるが、切欠き１１ｄに収まっているので、携帯中にほつれることを防止できる。なお本実施の形態では、２枚のフランジ１１ａと１１ｂの両方に切欠き１１ｄが形成されている。このようにすると、切欠き１１ｄの加工が容易となり、製造効率を高めることができる。切欠き１１ｄは、巻回される釣り糸の太さよりも十分に大に形成されるので、釣り糸がここに挟まれて傷つくことがない。
【００２０】
図３（ａ）の斜視図を参照して、さらに本実施の形態のスプール本体１１を説明する。本実施の形態では、スプール本体１１と連結されるスプール本体２１も同一の構成を有するので、スプール本体１１の説明はスプール本体２１にも共通する。図３（ａ）の斜視図は、スプール本体２１が連結されるべき側から見た図である。糸止め部材１２とリング１３が装着される側でもある。
【００２１】
スプール本体１１には、フランジ１１ａ、１１ｂと同心の円形の凹み１１ｈが形成されている。凹み１１ｈは、後で詳細に説明する糸止め部材１２の円環状の糸止め部材本体１２ａ（図５参照）を収納できる外径を有する。凹み１１ｈ内には、半径方向外側に向いたフックを有する糸止め部材用タブ１１ｅと内側に向いたフックを有するリング用タブ１１ｆが形成されている。糸止め部材用タブ１１ｅは糸止め部材１２の円環状の糸止め部材本体１２ａの内側の全周に連続的に形成された案内レールに係合して、糸止め部材１２をスプール本体１１に摺動可能に連結する。糸止め部材１２の案内レールについては、図５を参照して後で説明する。リング用タブ１１ｆはリング１３の外側の全周に連続的に形成された案内レールに回転可能に係合する。リング１３の案内レールについては、図６を参照して後で説明する。
【００２２】
図３（ｂ）の断面図に示されるように、糸止め部材用タブ１１ｅはスプール本体１１の凹み１１ｈの底面に垂直に立設された支柱部１１ｅ−１と支柱部１１ｅ−１の先端に形成されたフック部１１ｅ−２を有して構成される。ここで凹み１１ｈの底面は、スプール本体１１の回転軸線Ｃに垂直に形成されている。支柱部１１ｅ−１は、糸止め部材１２をスプール本体１１に装着する際に、内側に撓んで装着を可能にするように、又装着を可能とする程度に、可撓性を有する。フック部１１ｅ−２のスプール本体１１側のフック内面は、スプール本体１１の表面（凹み１１ｈの底面）に平行（スプール１１の回転軸線Ｃに垂直）又は奥に向かってスプール本体１１の表面から離れる方向に僅かに傾斜している（図中θ１は０度以上）。これは、フック部１１ｅ−２が糸止め部材１２と係合した後で外れにくくするためである。糸止め部材用タブ１１ｅと糸止め部材１２は係合後に取り外す必要がない。またフック部１１ｅ−２の外面（凹み１１ｈの底面とは反対の側の面）側は、糸止め部材１２を装着する際に、無理なく装着できるように面取りがされている（傾斜がつけられている）。
【００２３】
図３（ｃ）の断面図を参照してリング用タブ１１ｆを説明する。リング用タブ１１ｆとリング１３の関係は、回転可能な係合である点を除き、糸止め部材用タブ１１ｅと糸止め部材１２との関係と同様である。リング用タブ１１ｆはスプール本体１１の表面（凹み１１ｈの底面）に垂直に立設された支柱部１１ｆ−１と支柱部１１ｆ−１の先端に形成されたフック部１１ｆ−２を有して構成される。支柱部１１ｆ−１は、リング１３をスプール本体１１に装着する際に、外側に撓んで装着を可能にするように、また可能にする程度に、可撓性を有する。フック部１１ｆ−２のスプール本体１１側のフック内面は、スプール本体１１の表面に平行（スプールの回転軸線に垂直）又は奥に向かってスプール本体１１の表面（この実施の形態では凹み１１ｈの底面）から離れる方向に僅かに傾斜している（図中θ２は０度以上）。これは、フック部１１ｆ−２がリング１３と係合した後で外れにくくするためである。リング用タブ１１ｆとリング１３は係合後に取り外す必要がない。またフック部１１ｅ−２と同様に、フック部１１ｆ−２の外面（凹み１１ｈの底面と反対側の面）側は、リング１３を装着する際に、無理なく装着できるように面取りがされている（傾斜がつけられている）。
【００２４】
糸止め部材用タブ１１ｅの支柱部１１ｅ−１とリング用タブの支柱部１１ｆ−１は、スプール本体１１の半径方向の厚さが同等である。
糸止め部材用タブ１１ｅとリング用タブ１１ｆは、本実施の形態では、それぞれ４個設けられている。それらの個数は、３個以上であればよい。但し、可撓性を持たせるための円周方向の幅と全体の強度を考慮して、４個以上が好ましい。タブは円周方向に湾曲しているので、可撓性をもたせるためには、あまり幅広にできないからである。
【００２５】
図３（ａ）に示すように、さらに補助タブ１１ｊが配置されている。補助タブ１１ｊは糸止め部材用タブ１１ｅとリング用タブ１１ｆとで挟まれるように、また両タブから独立して、スプール本体１１に（凹み１１ｈの底面に）立設される。補助タブ１１ｊは、糸止め部材用タブ１１ｅ及びリング用タブ１１ｆと同等の半径方向厚さを有する。したがって、糸止め部材用タブ１１ｅ及びリング用タブ１１ｆと同様に、糸止め部材１２とリング１３との間に納まる。補助タブ１１ｊは、糸止め部材１２やリング１３をスプール本体１１に組み立てる作業等の際に、不用意に何かがぶつかることによる、糸止め部材用タブ１１ｅやリング用タブ１１ｆの折損を防ぐための補強部として作用する。糸止め部材用タブ１１ｅやリング用タブ１１ｆは、前述のようにあまり幅広にできないため、強度が高いとは言えないからである。補助タブ１１ｊは、可撓性をもたせる必要がないので、糸止め部材用タブ１１ｅとリング用タブ１１ｆよりも、幅広に構成することができる。したがって、折損しにくいように、比較的高い強度をもたせることができる。
【００２６】
図４（ａ）の斜視図を参照して、さらに本実施の形態のスプール本体１１、２１を説明する。図４（ａ）の斜視図は、スプール本体２１を、スプール本体１１と連結されるべき側から見た図である。スプール本体１１を、スプール本体１１と同一形状、同寸法の他のスプール本体に連結されるべき側から見た図であるといってもよい。
【００２７】
したがって以下は、スプール本体１１が連結されるスプール本体２１で説明する。そのままスプール本体１１の構造として読み替えることができる。
【００２８】
スプール本体２１には、フランジ２１ａ、２１ｂと同心の円形の凹み２１ｉが形成されている。凹み２１ｉは、スプール本体１１と連結したとき、後で詳細に説明する糸止め部材１２の糸止めタブ１２ｂ（図５参照）を収納できる内径を有する。凹み２１ｉは、回転軸線Ｃに近い側の高段部２１ｉ−１と外周側の低段部２１ｉ−２とに深さを変えて形成されている。凹み２１ｉ内、凹みの高段部２１ｉ−１には、外側に向いたフックを有するリング係止用タブ２１ｇとリング当接タブ２１ｋと補助タブ２１ｍとが形成されている。
【００２９】
リング係止用タブ２１ｇは、スプール本体１１に回転可能に装着されたリング１３の内面に形成された凹部１３ｂ（図６参照）に係合して、スプール本体２１をリング１３に固定的、但し着脱可能に連結する。固定的な連結であるから、連結後は、スプール本体２１とリング１３とは相対的に摺動も回転もしない。着脱可能であるから、スプール本体１１とスプール本体２１とは一体に連結して携帯しやすくすること、切り離すこと、また別のスプール本体と連結することを自由に行うことができる。固定的な連結の構成はリング１３の図を参照して、後で説明する。ここで、スプール本体１１とリング１３とが回転可能に装着されている結果として、連結されたスプール本体１１とスプール本体２１とは、相対的に回転可能である。
【００３０】
図４（ｂ）の断面図を参照して、リング係止用タブ２１ｇの構成を説明する。図示のように、リング係止用タブ２１ｇはスプール本体２１の表面（スプール本体２１の凹み２１ｉの底面（高段部２１ｉ―１の表面））に垂直に立設された支柱部２１ｇ−１と支柱部２１ｇ−１の先端に形成されたフック部２１ｇ―２を有して構成される。ここで凹み２１ｉの底面は、スプールの回転軸線Ｃに垂直に形成されている。支柱部２１ｇ−１は、相手のリング１３に装着する際に、内側に撓んで装着を可能にするように、また可能とする程度に、可撓性を有する。フック部２１ｇ−２のリング１３側のフック内面は、凹み２１ｉの底部表面に対して、傾斜をもって形成されている。その傾斜は、奥に向かって凹み２１ｉの底部表面に近づく方向の傾斜である。この傾斜の角度（図中θ３）は、スプール本体２１をリング１３に着脱可能な角度とする。リング係止用タブ２１ｇの撓みの弾性にも関係するが、連結したスプール同士が携帯中に不用意に分離しないように、また連結したスプールを別のスプールと交換する等の際には、分離を妨げない程度の傾斜とする。傾斜の角度θ３は、２０〜８０度、好ましくは３０〜６０度、典型的には４５度である。またフック部２１ｇ−２には、糸止め部材用リブ１１ｅ、リング用リブ１１ｆと同様に、外面側に、リング１３と連結する際に、無理なく連結できるように面取りがされている。
【００３１】
リング当接タブ２１ｋは、スプール本体２１の表面（凹み２１ｉの底面）に平行な面を有し、その面がリング１３に当接する。スプール本体２１とリング１３との連結は、固定的であるので、リング当接タブ２１ｋとリング１３とは相対的に移動しない。当接面での両者間のクリアランスはほぼゼロである。典型的には密着状態にあるが、後述のように、リング１３の構造で摺動も回転も防いでいるので、連結した釣り糸スプール１０と２０が、携帯中にがたつかない程度のクリアランスは存在してもよい。
【００３２】
リング当接タブ２１ｋは、本実施の形態では円周方向に４個設けられている。リング当接タブ２１ｋに挟まれるように、またリング当接タブ２１ｋから独立して、８個の補助タブ２１ｍがスプール本体２１（凹み２１ｉの底面）に立設されている。補助タブ２１ｍは、当接タブ２１ｋに沿って配置されている。但し、本実施の形態では、リング当接タブ２１ｋは、補助タブ２１ｍについて１個おきに配置されている。ここで、リング当接タブ２１ｋを補助タブ２１ｍと同数の８個としてもよい。補助タブ２１ｍは、補助タブ１１ｊと同様に、スプール本体２１をリング１３に連結する作業等の際に、不用意にこれらが互いにぶつかることによる、リング係止用タブ２１ｇの折損を防ぐための補強部として作用する。半径方向の厚さは、リング係止用タブ２１ｇと同等であり、リング１３とスプール本体１１との間に納まる。補助タブ２１ｍは、補助タブ１１ｊと同様に可撓性をもたせる必要がないので、円周方向の幅はリング係止用タブ２１ｇよりも、幅広に構成することができる。リング当接タブ２１ｋは、典型的には４個であるが、３個以上であればよい。また、連続した円環状としてもよい。
【００３３】
図５（ａ）の斜視図と（ｂ）の断面図を参照して、本実施の形態で使用する糸止め部材１２の構成を説明する。糸止め部材１２は、円環状の糸止め部材本体１２ａと、その外周に配置された４個の糸止めタブ１２ｂを有する。円環状の糸止め部材本体１２ａの内面には、円周方向に連続した案内レール１２ｃが形成されている。案内レール１２ｃには、糸止め部材用タブ１１ｅ（図３参照）のフック部１１ｅ−２が摺動可能に係合する。本実施の形態では、案内レールはリングの表面から突き出た凸状レール１２ｃとして構成されているが、その代わりに、リングの表面から凹んで形成された溝状レールとしてもよい。または、フック部１１ｅ−２が係合できる周方向に連続した段部を有する段差レールとしてもよい。要は、フック部１１ｅ−２が摺動可能に係合する案内レールであればよい。
【００３４】
糸止めタブ１２ｂは、糸止め部材１２をスプール本体１１に装着したとき、丁度スプール本体１１の表面に当接するように寸法が定められている。この当接面でスプール本体１１と摺動可能である。釣り糸を糸止め部材１２で止めたとき、釣り糸は当接した糸止めタブ１２ｂとスプール本体１１との間に挟まる。糸止めタブ１２ｂは、スプール１本体１１に装着したとき、外周側に向かって開く楔状の空間を形成するように、スプール本体１１に当接する面から逃げるように傾斜が付けられている。楔状の空間があるので、釣り糸を、スプール本体１１と糸止め部材１２との間に容易に導くことができる。糸止めタブ１２ｂは、釣り糸に傷がついたり、過度に扁平にならない程度に撓む、幅と厚さに形成されている。また釣り糸は、楔状の空間の奥に挟むようにして止めてもよい。楔状の空間は奥に行くほど幅が狭くなるので、釣り糸を挟んで止めることができる。従来から、例えば本実施の形態の切欠き１１ｄをスリット状に形成して、ここに挟んで糸を止めるような構成も考えられていたが、そのような構造では、釣り糸に傷やつぶれを生じがちであった。本実施の形態ではそのように生じ得る傷やつぶれを防止することができる。
【００３５】
本実施の形態では、糸止めタブ１２ｂは糸止め部材本体１２ａに４個が独立して設けられている。このように構成すると、釣り糸を止めやすい。また摺動可能であるので、切欠き１１ｄに対する位置を適度に調節することができる。
【００３６】
ここで、図２に戻って、糸止め部材１２とスプール本体１１、２１との関係を説明する。
まず、図２（ａ）の断面図を参照して、糸止め部材１２の高さＨと、スプール本体１１、２１の間隔Ｗの関係を説明する。釣り糸スプール１０、２０を連結したとき、スプール本体１１のフランジ１１ｂとスプール本体２１のフランジ２１ａとの間には、間隔Ｗが空くようにスプール本体１１と、これに当接するリング１３、これと当接するスプール本体２１のリング当接タブ２１ｋの寸法を定める。実施例ではＷ＝１．０ｍｍとした。
【００３７】
糸止め部材１２の高さＨ（フランジ１１ｂと当接する当接面から反当接面までの厚さ）は、間隔Ｗよりも大に定める。実施例ではＨ＝２．０ｍｍとした。ここで、釣り糸スプール１０、２０を連結したとき、糸止め部材１２の反当接面がスプール本体１１に装着されたリング１３と面一になるように、糸止め部材１２とリング１３の寸法を定める。このように構成するので、釣り糸スプール１０、２０を連結したとき、糸止め部材１２は、スプール本体２１の凹み２１ｉの中に、高段部２１ｉ−１に接しないように納まる。いわば、糸止め部材１２はスプール本体２１に、オーバーラップして納まる。糸止め部材１２の反当接面とリング１３とが面一になるということは、糸止め部材１２の反当接面は、リング当接タブ２１ｋの面とほぼ面一となり、高段部２１ｉ−１に当たることはない。また、糸止め部材１２の高さＨが間隔Ｗよりも大であるので、釣り糸を糸止め部材１２で止めるために、スプール本体１１と１２との間に挿入したとき、糸止め部材１２とフランジ１１ｂとの間に、確実に導くことができる。
【００３８】
ここで、糸止め部材１２と糸止め部材用リブ１１ｅのフック部１１ｅ−２とが係合する係合面と、リング１３とリング係止用タブ２１ｇのフック部２１ｇ−２とが係合する係合面とは、一致するように各部の寸法を定める。釣り糸スプール１０、２０を連結したとき、この係合面の位置は、間隔Ｗの中央にある。実施例では、スプール本体１１からこの係合面までの距離Ｗ１、スプール本体２１からこの係合面までの距離Ｗ２は、０．５ｍｍとした。間隔Ｗは１．０ｍｍに限らず、釣り糸スプール１０、２０に巻回する釣り糸の号数（太さ）に合わせて、適宜設定することができる。
ここで、図２（ａ）にリング１３とリング係止用タブ２１ｇの係合部をさらに拡大した拡大図を円内に示す。この図に示すように、リング１３とリング係止用タブ２１ｇとは、回転軸線Ｃに直交する面に角度θ３だけ傾斜した面で係合する。本実施の形態では、θ３＝４５度、回転軸線Ｃの方向に見た係合面の幅Ｗ４は、０．２ｍｍとした。なお、幅Ｗ４の釣り糸スプール２０側の端線が間隔Ｗの中央になるように設定されている。したがって、本実施の形態では、係合面は幅Ｗ４の半分だけ釣り糸スプール１０の側に寄っていることになる。但し、糸止め部材１２側の端線の位置は、これに限らず、リング１３の回転軸線Ｃ方向の幅の中にあればよい。
【００３９】
図２（ｂ）を参照して、スプール本体１１と糸止め部材１２との当接関係が、以上の実施の形態とは異なる場合を説明する。以上の実施の形態では、糸止めタブ１２ｂがスプール本体１１に当接して摺動可能であるものとしたが、糸止め部材本体１２ａがスプール本体１１の凹み１１ｈの底面に当接するように構成してもよい。このときは、糸止め部材１２はスプール本体１１に、凹み１１ｈの底面と糸止め部材用リブ１１ｅとで摺動可能にスプール本体１１に装着されることになる。したがって、糸止めタブ１２ｂは、糸止め部材１２をスプール本体１１に装着したときも、スプール本体１１の表面（本実施の形態ではフランジ１１ｂと面一の面）に当接せずに、適度な隙間Ｗ３を残すように構成することができる。このように構成するときは、釣り糸をさらに無理なく、糸止めタブ１２ｂとスプール本体１１との間に挟むことができる。隙間Ｗ３は、巻回する釣り糸の太さよりも小さく設定する。但し、釣り糸には弾性があるので、隙間Ｗ３の寸法は、厳密に釣り糸の太さに合わせる必要はない。
【００４０】
図６の斜視図（ａ）と部分断面図（ｂ）を参照して、リング１３の構成を説明する。リング１３には、案内レールとしての段差レール１３ａが外周面に形成されている。段差レールは外周面に形成された周方向に連続的に形成された段部である。この段差レール１３ａにリング用タブ１１ｆ（図３参照）が回転可能に係合する。別の実施の形態では、案内レールを、外周面から凸状に突き出て外周面に周方向に連続的に形成された凸状レールとしてもよいし、外周面に連続的に凹状に形成された溝状レールとしてもよい。要は、リング用タブ１１ｆが係合することができる、周方向に連続した段部があればよい。
【００４１】
リング１３の内周面には、円周方向に断続的に複数の凹部１３ｂが形成されている。凹部１３ｂは、回転軸線Ｃの方向に形成された浅い溝であり、リング１３がスプール本体１１に当接する面の側に開いている。その反対側の面（スプール本体２１に当接する側の面）の側は、閉じている。スプール本体１１にスプール本体２１を連結するとき、この凹部１３ｂの閉じた側にリング係止用タブ２１ｇが着脱可能に係合する。凹部１３ｂは、円周方向に断続的に形成されているので、連結された相手側のスプール本体はリングとは相対的に動くことがない。すなわち相手側のスプール本体とリング１３は固定的に連結される。
【００４２】
なお、各凹部１３ｂは、リング用タブ１１ｆの位置と整合する円周方向の位置に設けられる。また凹部１３ｂの一方が開いているので、加工、製造が容易である。凹部１３ｂの閉じた側には、回転軸線Ｃに直交する面に角度θ３だけ傾斜した面となっている。リング係止用タブ２１ｇの係合面の角度θ３と同じ角度の傾斜である。したがって、リング１３とリング係止用タブ２１ｇは、この傾斜した面でしっくりと係合することができる。本実施の形態ではθ３＝４５度に形成されており、リング１３とリング係止用タブ２１ｇとは、回転軸線Ｃの方向に自由に着脱することができる。なお、リング係止用タブ２１ｇの寸法は、リング１３と係合する際に、決して折れることなく適度に撓むように定める。リング係止用タブ２１ｇの係合面の、リング１３の周方向に見た幅は、１．５〜５ｍｍの範囲とし、典型的には約２ｍｍとするが、これは、リング１３の凹部の係合部の長さ、釣り糸スプールの大きさによって適切に定める。
【００４３】
以上のように構成されるので、釣り糸スプール１０は、他の釣り糸スプール例えば釣り糸スプール２０と連結されたとき、互いに独立して自由に回転可能である。
以上のように構成されるので、複数個数を連結可能で、携帯容易な釣り糸スプールを提供することができる。
連結した複数の釣り糸スプールは、それぞれ自由に回転可能であるので、各スプールに異なる号数の釣り糸を巻回するときは、所望の号数の釣り糸を容易に取り出すことができる。
【００４４】
以上の実施の形態では、糸止め部材は、リングと同じ側に装着するものとして説明したが、反対側であってもよい。その場合は、相手側のスプール本体に、糸止め部材を収容可能な凹み部を設けることになる。
【符号の説明】
【００４５】
１０、２０  釣り糸スプール
１１、２１  スプール本体
１１ａ、１１ｂ、２１ａ、２１ｂ  フランジ
１１ｃ、２１ｃ  ドラム
１１ｄ、２１ｄ  切欠き
１１ｅ、２１ｅ  糸止め部材用タブ
１１ｅ−１、２１ｅ−１  支柱部
１１ｅ−２、２１ｅ−２  フック部
１１ｆ、２１ｆ  リング用タブ
１１ｆ−１、２１ｆ−１  支柱部
１１ｆ−２、２１ｆ−２  フック部
１１ｇ、２１ｇ  リング係止用タブ
１１ｇ−１、２１ｇ−１  支柱部
１１ｇ−２、２１ｇ−２  フック部
１１ｈ  凹み
１１ｉ、２１ｉ  凹み
１１ｊ、２１ｊ  補助タブ
１１ｋ、２１ｋ  リング当接タブ
１１ｍ、２１ｍ  補助タブ
１２、２２  糸止め部材
１２ａ  糸止め部材本体
１２ｂ  糸止めタブ
１２ｃ  案内レール
１３、２３  リング
１３ａ  案内レール
１３ｂ  凹部
Ｃ  回転軸線
Ｗ  間隔
Ｗ１  距離
Ｗ２  距離
Ｗ３  隙間
Ｗ４  幅
θ１、θ２、θ３  傾斜の角度
【図１】
2015167504.tif 000003
【図２】
2015167504.tif 000004
【図３】
2015167504.tif 000005
【図４】
2015167504.tif 000006
【図５】
2015167504.tif 000007
【図６】
2015167504.tif 000008